(57)【特許請求の範囲】
【請求項１】
放送信号を受信し記録する放送信号記録装置であって、
ユーザ識別情報を伴うユーザからの記録指示に応じて放送信号を受信しこの受信情報を蓄積部に記録する受信情報記録手段と、
前記受信情報記録手段が受信し記録した前記放送信号に関する課金情報を、前記ユーザ識別情報に関連付けて記憶領域に記憶する管理情報記憶手段と、
前記管理情報記憶手段が記憶する前記課金情報を、前記ユーザ識別情報に対応した表示方法で表示するべく、表示信号を生成する表示信号生成手段と、
を具備することを特徴とする放送信号記録装置。
【請求項２】
放送信号を受信し記録する放送信号記録装置であって、
ユーザ識別情報を伴うユーザからの記録指示に応じて放送信号を受信しこの受信情報を蓄積部に記録する受信情報記録手段と、
前記受信情報記録手段が受信し記録した放送信号に関する課金情報及び前記放送信号が今後再生可能かどうかの再生可否情報を、前記ユーザ識別情報に関連付けて記憶領域に記憶する管理情報記憶手段と、
前記管理情報記憶手段が記憶する前記課金情報及び再生可否情報を、前記ユーザ識別情報に対応した表示方法で表示するべく、表示信号を生成する表示信号生成手段と、
を具備することを特徴とする放送信号記録装置。
【請求項３】
放送信号を受信し記録する放送信号記録装置であって、
ユーザ識別情報を伴うユーザからの記録指示に応じて放送信号を受信しこの受信情報を蓄積部に記録する受信情報記録手段と、
前記受信情報記録手段が記録した受信情報に関する管理情報を、前記ユーザ識別情報に関連付けて記憶領域に記憶する管理情報記憶手段と、
前記管理情報記憶手段が記憶する前記管理情報を、前記ユーザ識別情報に対応させて、表示領域の領域分け、又は表示画素の色分け、又はソーティング処理の中の少なくとも一つの表示方法で表示するべく、表示信号を生成する表示信号生成手段と、
を具備することを特徴とする放送信号記録装置。
【発明の詳細な説明】
【０００１】
【発明の属する技術分野】
本発明は、放送信号を受信し記録する放送信号記録装置に関し、特にユーザの識別情報に対応させて受信情報の管理情報を表示する放送信号記録装置及び放送信号記録方法に関するものである。
【０００２】
【従来の技術】
最近、地上波、衛星放送、ケーブルで放送される番組を受信する受信装置として、受信装置内にハードディスク等の記録装置を内蔵し、番組を一旦蓄積してから再生できる受信装置が開発されている。このような放送信号記録装置として、特開平９−７００２０号公報や特開平１１−１２７３９６号公報が開示されている。
【０００３】
先の特開平９−７００２０号公報に示されるＩＳＤＢ受信装置は、映像、音声、データなどの各種情報が多重された放送信号を受信し、情報を蓄積する蓄積部と、情報に対する保存優先度を示す総合優先度を示す総合優先度のデータに対する保存部と、それらを制御する制御部とを有している。そして、ユーザが設定した優先度に従って、優先度の低い順に蓄積情報から順次削除していくものである。
【０００４】
この受信装置が保持する優先度を示す管理情報の例が図１３に示されている。この図に応じて、蓄積部の容量が一杯になったときに削除する情報を選択する方法が本公報に説明されている。
【０００５】
図１３のように蓄積部には既に録画順位１から３までが蓄積されていて、それぞれのスポーツ、時代劇、ドラマ等の番組ジャンル別優先度ｘ、個別番組優先度ｙが設定されており、蓄積終了からの経過時間ｔから総合優先度Ｐは
Ｐ＝ａｘ＋ｂｙ−ｃｔ  （ａ，ｂ，ｃは係数）
の式で求められるとする。３つの番組の内容を蓄積した結果、蓄積部の容量が一杯になったとする。この状態で次に録画順位４の番組を蓄積しようとするとき、総合優先度Ｐが最も低い録画順位２の番組が削除される。
【０００６】
従って、総合優先度の値が大きなものほど蓄積されている時間が長くなり、蓄積部の容量をあまり大きくすることなくユーザの嗜好にあったデータのみを蓄積でき、総合優先度の低い番組は、ユーザが気づくことなく、自動的に削除される。
【０００７】
しかしながら、蓄積部が一杯のときには優先度の高い番組ばかりが蓄積されており、削除する番組と削除されずに蓄積部に残る番組との優先度の差は小さい。そのため、番組ジャンルや個別番組の優先度ではユーザの微妙な嗜好を反映できず、ユーザが削除を望まない番組がいつの間にか削除される場合が発生するという問題がある。また、蓄積された番組データの内で再生済みの番組、あるいは再生中の番組の中の再生済み部分については再再生する可能性が低いにも関わらず優先的に削除されることはないという問題がある。
【０００８】
これに対して後者の特開平１１−１２７３９６号公報においては、放送信号から分離された各種データを蓄積する蓄積部と、前記蓄積部に蓄積された蓄積データに対する保存優先度と削除候補を示す情報を保持する記憶部と、ユーザからの入力操作を受け付ける入力部と、これらの動作を制御する制御部とを有している。このとき制御部は、蓄積部の空き領域が一定値以下になると保持優先度の最も低いデータを削除候補として選択し、記憶部に削除候補を示す情報を書き込み、データが削除候補であることをモニタ画面に示し、一定時間が経過するとこのデータを蓄積部から削除する働きを設けることにより、削除候補をユーザに示すことでユーザの嗜好を反映しながら、優先度の低い不要データを淘汰していくものである。
【０００９】
【発明が解決しようとする課題】
しかし、この従来の受信装置においては、一人のユーザが蓄積や再生の操作を行うことを想定するものであり、複数のユーザが番組の蓄積を行った場合、一人のユーザが蓄積した番組ばかりが自動削除されたり、削除候補メニューとして他のユーザが蓄積した番組ばかりが候補として提示される場合がある。
【００１０】
例えば、複数のユーザがこのような蓄積機能付きの受信装置を使用している場合、あるユーザＡは優先度の低い番組のみを記録し、ユーザＢは優先度の高いものばかりを記録したとし、再生もまだしていない状態で蓄積容量が一杯になる場合がある。ユーザＢが次に記録をしようとした場合にはユーザＡが記録したものを削除候補リストとして表示することになり、ユーザＢはこれらの候補を削除していいか判断ができないため、結局、全データの中から削除してよいデータを探すことになる。
【００１１】
このように従来装置においては、複数のユーザが共用して放送信号の記録や再生・削除が行われることが想定されていないので、複数ユーザによって限られた記憶容量の記憶装置の十分な活用を行うことができないという問題がある。
【００１２】
本発明は、複数ユーザの使用を想定し、記録する放送信号の管理情報にユーザの識別情報を含めて使用することで、内蔵する記憶装置を複数ユーザ間で十分に活用することができる放送信号記録装置及び放送信号記録方法を提供することを目的とする。
【００１３】
【課題を解決するための手段】
本発明の一実施形態は、放送信号を受信し記録する放送信号記録装置であって、ユーザ識別情報を伴うユーザからの記録指示に応じて放送信号を受信しこの受信情報を蓄積部に記録する受信情報記録手段と、前記受信情報記録手段が受信し記録した前記放送信号に関する課金情報を、前記ユーザ識別情報に関連付けて記憶領域に記憶する管理情報記憶手段と、前記管理情報記憶手段が記憶する前記課金情報を、前記ユーザ識別情報に対応した表示方法で表示するべく、表示信号を生成する表示信号生成手段とを具備することを特徴とする放送信号記録装置である。
【００１４】
又、本発明の一実施形態は、放送信号を受信し記録する放送信号記録装置であって、ユーザ識別情報を伴うユーザからの記録指示に応じて放送信号を受信しこの受信情報を蓄積部に記録する受信情報記録手段と、前記受信情報記録手段が記録した受信情報に関する管理情報を、前記ユーザ識別情報に関連付けて記憶領域に記憶する管理情報記憶手段と、前記管理情報記憶手段が記憶する前記管理情報を、前記ユーザ識別情報に対応させて、表示領域の領域分け、又は表示画素の色分け、又はソーティング処理の中の少なくとも一つの表示方法で表示するべく、表示信号を生成する表示信号生成手段とを具備することを特徴とする放送信号記録装置である。
【００１５】
【発明の実施の形態】
以下、図面を参照しながら本実施の形態について詳細に説明する。
【００１６】
＜本発明に係る放送信号記録装置の構造＞
本発明に係る放送信号記録装置の一例として、デジタル放送記録装置の場合について詳細に説明する。図１は、本発明に係る放送信号記録装置の一実施の形態を示すブロック図、図２は、ユーザ識別情報の更新処理の一例を示すフローチャート、図３は、本発明に係る放送信号記録装置の記録処理の一例を示すフローチャート、図４は、管理情報の表示処理の一例を示すフローチャート、図５は本発明に係る放送信号記録装置が記憶する管理情報の一例を示す図である。
【００１７】
本発明に係る放送信号記録装置は、図１において、外部からの放送信号を受信し復調するチューナ１１と、これに接続され、復調された放送信号を蓄積する例えばハードディスクドライブ等で構成される蓄積装置１６とを有している。更に、チューナ１１からの出力と蓄積装置の出力との両方を受け、制御信号に応じて一方を選択し出力するセレクタ１２と、セレクタ１２からの出力信号を受けるＴＳ（トランスポートストリーム：Ｔｒａｎｓｐｏｒｔ  Ｓｔｒｅａｍ）処理・ＭＰＥＧ（Ｍｏｖｉｎｇ  Ｐｉｃｔｕｒｅ  Ｅｘｐｅｒｔ  Ｇｒｏｕｐ）処理を行うＴＳ処理／ＭＰＥＧ処理部１３と、この出力を受け表示信号を生成する表示制御部１４とを有している。更に蓄積装置１６とセレクタ１２と表示制御部１４とに接続され、蓄積処理及び再生処理の動作を制御する蓄積／再生制御部１７を有している。この蓄積／再生制御部１７は、ＣＰＵ（Ｃｅｎｔｒａｌ  Ｐｒｏｃｅｓｓｉｎｇ  Ｕｎｉｔ）を含み、ユーザからの入力を受ける入力処理部１８と、メモリ１９とに接続されている。表示制御部１４の出力は、放送信号の映像等のコンテンツを表示するモニタ１５に接続される。
【００１８】
＜本発明に係る放送信号記録装置の基本動作＞
このような構成において、本発明に係る放送信号記録装置は、リアルタイムな再生処理が以下のように行われる。すなわち、外部からの放送信号を受信し復調された復調信号は、セレクタ１２を通ってＴＳ処理／ＭＰＥＧ処理部１３に送られ、ＴＳのＤＥＭＵＸ（Ｄｅ−Ｍｕｌｔｉｐｌｅｘ）処理、ＭＰＥＧの復号処理が行われ、表示制御部１４でモニタ１５で表示できるようにフォーマットされる。そして、フォーマットされた映像信号等として、番組がモニタ１５に映し出されることとなる。
【００１９】
更に蓄積処理として、ユーザにより、いわゆる留守録画等として指定された録画処理を行うことができる。すなわち、ユーザから入力処理部１８を通して番組の蓄積要求が入力されると、これがメモリ１９等に格納される。そして、この蓄積要求に応じた指定の時刻となることで、蓄積／再生制御部１７は蓄積装置１６へ番組の蓄積を行うべく蓄積／再生制御部１７により制御がなされ、ＴＳ処理／ＭＰＥＧ処理部１３で抽出されるＳＩ（Ｓｐｅｃｉｆｉｃ  Ｉｎｆｏｒｍａｔｉｏｎ）情報に基づいて、蓄積する番組に関する情報（日時、タイトル等）を蓄積処理を制御する管理情報としてメモリ１９に記憶する。
【００２０】
又、ここで記憶される管理情報は、図５に示すように、蓄積順位、放送番組のタイトル、課金の内容だけではなく、本発明の特徴となる視聴情報、ユーザの識別情報、自動削除モードの有無等を含むものである。
【００２１】
蓄積された番組の再生は、入力処理部１８を通してユーザから再生要求が入力され、それを受けて蓄積／再生制御部１７はメモリ１９から管理情報を読み出して、これを表示制御部１４で例えばＯＳＤ（オンスクリーンディスプレイ：Ｏｎ  Ｓｃｒｅｅｎ  Ｄｉｓｐｌａｙ）処理を行い、モニタ１５に表示する。ユーザは表示された一覧から目的の番組を選択し、再生指示を入力部経由で入力し、それを受けて、蓄積／再生制御部１７は蓄積装置１６内の対象番組データを読み出す。そして、セレクタ１２経由でＴＳ処理／ＭＰＥＧ処理部１３に入力し、リアルタイム再生と同様の処理が行われ、モニタ１５には再生された番組が映し出されることとなる。
【００２２】
＜本発明に係る放送信号記録装置の特徴的な動作＞
次にフローチャートを用いて、特に本発明のユーザ識別情報を用いた記録処理、管理情報の表示処理、ユーザ識別情報の管理処理について、詳細に説明する。
【００２３】
（ユーザ設定）
ユーザは、番組を蓄積する際に自身を特定する情報（例えば、山田一郎等の名前や、お父さん、お母さん、お兄さん等の使用する個人のニックネーム等の識別可能な情報）をもっており、図２に示すように、これらのユーザ識別情報が更新される。すなわち記録処理の際では、ユーザから特定の番組について入力処理部１８から記録命令があれば（Ｓ４１）、画面上でユーザ識別情報（ユーザＩＤ）を入力するべくこれを促すものである（Ｓ４２）。ユーザからの識別情報の入力があると、これらのユーザ識別情報を受けた蓄積／再生制御部１７は、メモリ１９に記憶されている蓄積処理のための管理情報のユーザ識別エリアにこのユーザ識別情報を設定する。これが二度目以降であれば、フローチャートのようにユーザＩＤ管理テーブルが更新されることになる（Ｓ４３）。これは設定時でも蓄積後でも設定可能であり、同様の操作が行われる。そして、ユーザＩＤに応じて、コンテンツデータを記録し蓄積処理が行われる（Ｓ４４）。
【００２４】
先に挙げた図５では、登録した３人のユーザが示されており、各ビットに１人のユーザがリンクしており、例えばお父さん、お兄さん、太郎という３ユーザが登録されているとすると、ビットの上位から順にお父さん、お兄さん、太郎が割り当てられる。
【００２５】
また、再生情報や自動削除情報も同様に各ユーザごとに管理され、再生情報では再生済みの場合には対象のビットが‘１’、未再生の場合には‘０’と定義され、自動削除モードを指定する自動削除情報としては、自動削除モードが与えれられていれば例えば‘０’、自動削除モードが与えられておらず自動削除が不可の場合は‘１’が一例として割り当てられる。
【００２６】
（放送データ蓄積）
ユーザ識別情報であるユーザＩＤを用いて、放送信号を記録し蓄積する場合を説明すると、図３のフローチャートに示すように、記録命令をユーザから受けると（Ｓ２１）、ユーザ識別情報であるユーザＩＤを入力するべく、これを画面上で促す（Ｓ２２）。そして、蓄積装置１６の記憶容量に余裕があるかどうかが判断され（Ｓ２３）、余裕があれば上述した手順にて記録処理が行われる（Ｓ２４）。
【００２７】
容量に空きがあるとき（Ｓ２３）、ユーザが削除可能と考えているデータが蓄積装置１６内に存在するかどうかが判断される（Ｓ２６）。これは例えば、操作しているユーザ本人が録画したデータが蓄積装置１６内に存在しており、これを自由に削除できる場合である。又は、操作しているユーザ以外の他のユーザのデータであっても、これを削除してよいと設定がある場合は、これに該当する。削除できるデータがないと判れば、この時点で記録の中止を行う（Ｓ２５）。
【００２８】
削除可能なデータがある場合は（Ｓ２６）、自動削除が可能かどうかが判断される（Ｓ２７）。これは、図５の自動削除が可能かどうかのパラメータを参照することで判断されるもので、例えば、“１”を不可とし、“０”を可能とするものである。自動削除が不可能であれば、図８又は図９に示すように、削除リストを表示してマニュアルで削除を促す（Ｓ２８）。後述するように、図８はジャンルで優先度が設定されている場合の削除候補リスト、図９は有料放送の価格により優先度が設定されている場合の削除候補リストである。
【００２９】
この消去候補リストに応じて、ユーザからの消去指示に対応して、対応するデータを蓄積装置１６から消去するものである（Ｓ２９）。又、自動削除が可能なときは（Ｓ２７）、対象となる画像を自動削除するものである（Ｓ３０）。
【００３０】
このように自動削除モードを設け自動削除を行うことで、蓄積部の空き領域が少なくなった場合に、蓄積したが再生しないものなどを自動的に削除することができ、効率的な記憶容量の活用を果たすことができる。
【００３１】
又、削除候補のリストを表示するときに再生済みかどうかの情報を表示、もしくはフィルタリンクして再生済みのみのものを表示することで、ユーザが削除候補の選択が容易となる。
【００３２】
（蓄積番組リスト又は削除候補リストの表示）
次に、蓄積された番組のリストの表示について、以下に説明する。蓄積された番組の再生時は、図４のフローチャートが示すように、ユーザから入力処理部１８を通して入力された再生要求に対して蓄積／再生制御部１７がメモリ１９から管理情報を読み出し（Ｓ３１）、これを表示制御部１４で例えばＯＳＤ処理を行いモニタ１５に表示する。
【００３３】
この場合は、記憶装置に記憶している全データが表示されるので、記憶されている数が多ければ何ページかに分けて、例えば記録順やカテゴリ別等で表示される。ユーザ識別情報が存在しないときは（Ｓ３２）、他のユーザが記録・蓄積した番組も表示される（Ｓ３５）。
【００３４】
しかし、入力処理部１８を通して自身を識別するユーザ識別情報が入力されている場合は、蓄積／再生制御部１７がメモリ１９から当該ユーザ識別が設定されている蓄積処理のための管理情報のみを読み出す。ユーザ識別情報であるＩＤに応じた管理情報の個数をカウントする（Ｓ３３）。そして、これらの管理情報を表示するものである（Ｓ３４）。
【００３５】
ユーザ識別情報を用いた表示の例は、様々なものが考えられ、ユーザ識別情報を含む管理情報を、表示制御部１４で例えばＯＳＤ処理を行い、モニタ１５に例えば図６に示すように表示する。
【００３６】
この図６の例では、単に蓄積された順番にユーザ識別情報に応じて編集した管理情報を表示するものである。ここで、スポーツ、ドラマ等のカテゴリ別に分類整理して表示することも好適である。このようにユーザの識別設定と識別入力部を備えることで蓄積されている番組の検索や選択を容易にすることができる。
【００３７】
又、番組の再生時だけではなく、番組の記録のための設定時においても、管理情報の表示が必要となってくる。すなわち、ユーザの蓄積指示により、番組は蓄積装置１６の容量分までは順次蓄積が可能であるが、蓄積装置１６の蓄積容量が或る一定値になると、一部を削除しなければ次の番組が蓄積できない状態になる。これはすなわち、図３のフローチャートでのステップＳ２６乃至ステップＳ２８に至る場合である。
【００３８】
このような状態となったとき、次の番組の蓄積指示が入力処理部１８から入力されると、蓄積／再生制御部１７はメモリ１９の内容を検査し、自動削除のフラグが“可”のものがあれば（図５での自動削除のフラグが“０”のもの）（Ｓ２７）、蓄積装置１６を制御してそれら対象の番組データを削除する（Ｓ３０）。
これに応じて、管理情報であるメモリ１９内のデータも削除して更新する。
【００３９】
その後、蓄積装置１６の空き容量を計算し（Ｓ２３）、指定された番組の蓄積が可能な分の空き領域が確保できていれば、蓄積装置１６を制御して新たに指示された番組の蓄積を行い（Ｓ２４）、メモリ１９の管理情報にこの情報を追加して更新する。
【００４０】
このとき、自動削除が不可能なとき、すなわち、自動削除モードとなっていないとき、又は、自動削除モードであっても自動削除対象がない場合、又、自動削除しても空き容量が確保できない場合には、例えば、図７に示すように、「記録装置の容量がいっぱいです。削除候補を表示します。ユーザ選択ボタンを押して下さい。」等のメッセージを表示した後に、ユーザ識別選択を行うように表示制御部１４を制御してモニタに要旨を表示する。
【００４１】
ここで、自動削除モードで実際に自動削除される場合として、例えば、再生が済んだら自動削除してもよい場合がある。更に、期間が限定されてる番組であり、期間が経過している場合等が自動削除の条件として好適であるが、これに限るものではない。
【００４２】
次に、ユーザが入力処理部１８から自身を識別する情報の入力すると、メモリ１９から当ユーザが記録したものを抽出して、モニタ１５に例えば図８のように削除候補リストを構成して表示する。この例では自動削除可能なデータは削除され、さらに連続ドラマ、スポーツ、再生済番組の順で等の優先度に重み付けがされており、優先度の低いものから順に削除候補として表示している。こうすることで他のユーザが蓄積したものについて削除選択を行うことがなく、自身が蓄積した番組をリストアップされるので、削除する番組の選択決定を容易に行うことができる。
【００４３】
このように、蓄積部の空き領域が少なくなった場合に、削除候補リストをユーザ毎に提示するようにしたことで、他のユーザが保持しておきたい番組を誤って削除してしまうこともなく、容易に削除する番組を選択することができる。
【００４４】
（課金情報を考慮した表示）
又更に、課金情報を考慮した表示について、以下に例を述べる。すなわち、放送には無料番組と有料番組があり、有料番組のなかでは事前にチャンネル毎に契約する再生するティア番組と、番組単位に購入申し込みを行い再生するＰＰＶ（Ｐａｙ  Ｐｅｒ  Ｖｉｅｗ）番組がある。一般的にお金を払って再生する有料番組の方が保存要求度が高いので、上述の削除候補リストを表示する際にこの情報を考慮して表示データを構成すると例えば図９のように表示される。ここでは、無料の番組が上に挙げられ、チャンネル毎に課金の番組が次に、最後に番組毎に課金の番組が最後に挙げられる。
【００４５】
さらに、ＰＰＶ番組では蓄積して再生する場合に再生回数を制限したり、再生期間を制御する場合がある。これらの制限があるＰＰＶ番組では、例えば再生回数制限を越えて再生できないものや、再生期間を越えて再生できないものから順に上記削除リストとして表示することにより、削除可能な番組の選択が容易になる。例えば、図１０のように再生期限のついたＰＰＶ番組で期限切れの番組があった場合、その旨を通知して削除することで、記録したユーザに未再生であったこと、再生できないことを認識させて削除させることを提案することが好適である。
【００４６】
このように、削除候補のリストを表示するときに課金情報を同時に表示することで、ユーザにとって削除候補の選択が容易になるものである。
【００４７】
以上のように、蓄積する番組に対してユーザ識別情報を設定すること、及び蓄積されている番組のリスト表示をユーザ毎に行うこと、更に蓄積装置の容量が一杯になるときに削除候補としてユーザ毎に保存優先度の低いものから提示するように表示することにより、複数のユーザが録画を行った蓄積データの選択を容易にすることができる。
【００４８】
更に、全データリストを表示する場合でも図１１に示すように、画面を複数の領域に分けて表示することにより、複数のユーザが行った蓄積データでも、非常に編集が容易となる。又、他にも各ユーザ毎に色分けして表示する場合等が考えられ、ユーザ識別情報を有効に利用することができる。更に、何らかの条件に応じてソーティング処理して表示することが好適である。
【００４９】
また、この実施の形態においては、ユーザの選択情報の入力は、例えば図１２に示すリモコンＲにアサインされたキーを入力することによって行うことが好適である。すなわち、図１２において、キーＡ乃至キーＣが３人のユーザに割り当てられるものであり、例えば、キーＡが「お父さん」、キーＢが「お兄さん」、キーＣが「太郎」等のような設定が好適となる。
【００５０】
このように、ユーザを識別する情報の入力をリモコンのボタンに割り当てることにより、情報入力時のユーザインターフェースを向上させることができる。
【００５１】
又、図７に示すようなメッセージの後に、キーＡを押すことで、図８のようなお父さんが蓄積した番組を表示することができる。このような選択入力部はキーに割り当てるほか、ＯＳＤによるメニュー形式で行うことも好適である。
【００５２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００５３】
例えば、上記の実施形態は、デジタル放送を対象とするデジタル放送記録装置を一例として説明したが、対象がアナログ信号の放送信号であっても、本発明の作用効果は全く同等である。
【００５４】
【発明の効果】
以上、詳細に説明したように、本発明によれば、放送信号を記録し蓄積する放送信号記録装置において、ユーザ識別信号を用いて、記録し蓄積された放送信号の課金情報等の管理情報を表示し管理することにより、放送信号記録装置の記憶容量資源を、複数のユーザによって有効に活用することが可能となる。
【図面の簡単な説明】
【図１】本発明に係る放送信号記録装置の一実施の形態を示すブロック図。
【図２】本発明に係る放送信号記録装置のユーザ識別情報の更新処理の一例を示すフローチャート。
【図３】本発明に係る放送信号記録装置の記録処理の一例を示すフローチャート。
【図４】本発明に係る放送信号記録装置の管理情報の表示処理の一例を示すフローチャート。
【図５】本発明に係る放送信号記録装置が記憶する管理情報の一例を示す図。
【図６】本発明に係る放送信号記録装置が記憶する管理情報の一例を示す図。
【図７】本発明に係る放送信号記録装置の蓄積部から記録情報を削除する際に表示するメッセージの一例を示す図。
【図８】本発明に係る放送信号記録装置の蓄積部から記録情報を削除する際に表示するリストの第１の例を示す図。
【図９】本発明に係る放送信号記録装置の蓄積部から記録情報を削除する際に表示するリストの第２の例を示す図。
【図１０】本発明に係る放送信号記録装置の蓄積部から記録情報を削除する際に表示するリストの第３の例を示す図。
【図１１】本発明に係る放送信号記録装置の蓄積部から記録情報を削除する際に表示するリストの第４の例を示す図。
【図１２】本発明に係る放送信号記録装置のリモートコントローラの一例を示す外観図。
【図１３】従来の放送信号記録装置が記録している番組情報の管理情報を示す画面。
【符号の説明】
１１…チューナ、１２…セレクタ、１３…ＴＳ処理／ＭＰＥＧ処理部、１４…表示制御部、１５…モニタ、１６…蓄積装置、１７…蓄積／再生制御部、１８…入力処理部、１９…メモリ
【図１】
0003609788.tif 000002
【図２】
0003609788.tif 000003
【図３】
0003609788.tif 000004
【図４】
0003609788.tif 000005
【図５】
0003609788.tif 000006
【図６】
0003609788.tif 000007
【図７】
0003609788.tif 000008
【図８】
0003609788.tif 000009
【図９】
0003609788.tif 000010
【図１０】
0003609788.tif 000011
【図１１】
0003609788.tif 000012
【図１２】
0003609788.tif 000013
【図１３】
0003609788.tif 000014